(57)【要約】【課題】ターゲットプリズムの位置がトータルステーションの測定中心（基準点）から変化することなく、オフセットが高度角方向のみであり、トータルステーションの外形寸法を変更することがないハンドルを提供する。【解決手段】本考案に係るハンドル１００は、トータルステーションの本体部を運搬する際に持ち手となるハンドル１００であって、ターゲットプリズム２００が内蔵されることを特徴とする。【選択図】      図２
0003211118.tif 000002
【実用新案登録請求の範囲】
【請求項１】
トータルステーションの本体部を運搬する際に持ち手となるハンドルであって、
ターゲットプリズムが内蔵されることを特徴とするハンドル。
【請求項２】
前記トータルステーションの望遠鏡接眼部が設けられる側に前記ターゲットプリズムの入射面が設けられることを特徴とする請求項１に記載のハンドル。
【請求項３】
前記ターゲットプリズムの反射点が、前記トータルステーションの水平角検出時の基準軸上にあることを特徴とする請求項１又は請求項２に記載のハンドル。
【請求項４】
前記ターゲットプリズムの取り付け位置を調整する機構を有することを特徴とする請求項１乃至請求項３のいずれか１項に記載のハンドル。
【請求項５】
前記ハンドルは前記トータルステーションに取り付けられる基台を有しており、前記基台には貫通孔が設けられることを特徴とする請求項１乃至請求項４のいずれか１項に記載のハンドル。
【考案の詳細な説明】
【技術分野】
【０００１】
本考案は、トータルステーションの本体部を運搬する際に持ち手となり、特に推進工法に用いると好適なハンドルに関する。
【背景技術】
【０００２】
トータルステーションは、２点間をレーザー光が往復する時間を測定して距離を求める光波測距儀と電子制御されるトランシットを一体化してなり、目標位置に置かれ,入射光を入射方向に反射する反射プリズム（ターゲットプリズム、コーナーキューブ）を視準して測定キーを押すだけで、目標への水平角,鉛直角,距離を測定,表示するとともに、測定データをコンピュータで計算処理して種々の測量値を得ることができる。
【０００３】
従来、このようなトータルステーションを用いた工法として推進工法が知られている。例えば、特許文献１（特許３４５８０７５号公報）には、推進を開始する立坑にトータルステーションを設置し、立坑側から順番に前方の、視準ターゲットが取り付けられたトータルステーションを測量していくことで、先導体に設けられたトータルステーションの視準ターゲットの位置や方向、距離などを光学的に測量する技術が記載されている。
【特許文献１】特許３４５８０７５号公報
【考案の開示】
【考案が解決しようとする課題】
【０００４】
従来、視準ターゲットとしてターゲットプリズムをトータルステーションに取り付ける箇所が、トータルステーションにおける可動部であったり、トータルステーションの測定中心（基準点）からのオフセットが変わりやすい位置であったりしていたため、特に推進工法においては、都度、先導体の位置を再計算する必要がある、という問題があった。このような再計算には多大な時間を要したため、その間、工事が中断してしまい、施工コストがかかってしまう、という問題もあった。
【０００５】
また、推進工法においては管内で計測を行うためには、トータルステーションなどの測定器としては、できるだけ小型化することが望ましい。さらに、トータルステーションに突起物状にターゲットプリズムが設けられていると、周辺の機材等と干渉し、ターゲットプリズムが破損してまったり、あるいは、計測位置がずれてしまったりする等の不具合が生じる、という問題もあった。
【課題を解決するための手段】
【０００６】
上記のような課題を解決するために、本考案に係るハンドルは、トータルステーションの本体部を運搬する際に持ち手となるハンドルであって、ターゲットプリズムが内蔵されることを特徴とする。
【０００７】
また、本考案に係るハンドルは、前記トータルステーションの望遠鏡接眼部が設けられる側に前記ターゲットプリズムの入射面が設けられることを特徴とする。
【０００８】
また、本考案に係るハンドルは、前記ターゲットプリズムの反射点が、前記トータルステーションの水平角検出時の基準軸上にあることを特徴とする。
【０００９】
また、本考案に係るハンドルは、前記ターゲットプリズムの取り付け位置を調整する機構を有することを特徴とする。
【００１０】
また、本考案に係るハンドルは、前記ハンドルは前記トータルステーションに取り付けられる基台を有しており、前記基台には貫通孔が設けられることを特徴とする。
【考案の効果】
【００１１】
本考案のハンドルは、ターゲットプリズムが内蔵されているので、このような本考案のハンドルによれば、ターゲットプリズムの位置がトータルステーションの測定中心（基準点）から変化することなく、オフセットが一定であり、特に推進工法において、先導体の位置を再建算する必要がなくなり、工事の中断時間が短縮されることで、施工コストを抑制することが可能となる。
【００１２】
また、本考案のハンドルによれば、オフセットは、高度角方向のオフセットのみとなり、水平角方向についてはオフセットが不要となり、計算が簡略化される。
【００１３】
また、本考案のハンドルによれば、トータルステーションの構成に通常含まれているハンドルに、ターゲットプリズムが内蔵されるので、ターゲットプリズムが含まれた構成でもトータルステーションの外形寸法が変更することがなく、推進工法における計測に適すると共に、従来のように、トータルステーションに対して突起物状にターゲットプリズムが設けられることにより、破損してしまったり、計測位置がずれてしまったりするといった不具合を防止することができ、信頼性が向上する。
【図面の簡単な説明】
【００１４】
【図１】本考案の実施形態に係るハンドル１００が取り付けられたトータルステーション１を示す図である。
【図２】本考案の実施形態に係るハンドル１００を示す図である。
【考案を実施するための形態】
【００１５】
以下、本考案の実施の形態を図面を参照しつつ説明する。図１は本考案の実施形態に係るハンドル１００が取り付けられたトータルステーション１を示す図である。また、図２は本考案の実施形態に係るハンドル１００を示す図である。は本考案の実施形態に係るハンドル１００は、特に、トータルステーション１を推進工法に用いる際に好適なものである。なお、推進工法においては、図１に示すトータルステーション１は、通常、不図示の自動整準台に載置される。
【００１６】
トータルステーション１は、整準台３の上部に載置される本体部５を有している。図１に示す本体部５は、レーザー光を照射する側でない側で、望遠鏡接眼部７が設けられている側をみている。また、トータルステーション１における望遠鏡接眼部７が設けられている側には、測定値を表示する表示部１０なども設けられている。
【００１７】
本体部５の上部には、ハンドル取り付けネジ１１によって、本考案に係るハンドル１００が取り付けられている。本考案に係るハンドル１００には、ターゲットプリズム２００が内蔵されているが、当該ターゲットプリズム２００において、計測時、光が入射される入射面は、トータルステーション１の望遠鏡接眼部７が設けられている側に配されるようになっている。
【００１８】
本考案に係るハンドル１００は、第１基台部１０１及び第２基台部１０２を有している。第１基台部１０１及び第２基台部１０２には、本考案に係るハンドル１００が、トータルステーション１の本体部５に取り付けられる際に、ハンドル取り付けネジ１１が挿通される第１貫通孔１１１及び第２貫通孔１１２が設けられている。
【００１９】
第１基台部１０１及び第２基台部１０２それぞれには、鉛直方向に延在する第１立設部１２１及び第２立設部１２２が設けられている。これら第１立設部１２１と第２立設部１２２との間には、トータルステーション１を運搬する際に持ち手となる持ち手部１５０が立設部の間を渡されるようにして設けられている。
【００２０】
持ち手部１５０における２つの立設部の中央には、プリズム取り付け開口部１５５が設けられている。また、ターゲットプリズム２００はプリズム埋設部材１６０に埋設されている。このようなプリズム埋設部材１６０が、前記のプリズム取り付け開口部１５５に取り付けられるようになっている。
【００２１】
プリズム埋設部材１６０には開口部１６５が設けられており、ターゲットプリズム２００は、この開口部１６５の奥側に設けられている。開口部１６５から入射した光が、ターゲットプリズム２００への入射光となる。
【００２２】
プリズム埋設部材１６０の開口部１６５の両側には、第１ネジ孔１７１、第２ネジ孔１７２が設けられている。第１ネジ孔１７１、第２ネジ孔１７２のそれぞれは、第１ネジ１８１、第２ネジ１８２が挿通され、さらに、適宜シムワッシャーなどが挿通され、プリズム取り付け開口部１５５に設けられたネジ孔（不図示）が利用されることで、第１ネジ１８１、第２ネジ１８２が螺合される。
【００２３】
このように、プリズム埋設部材１６０が、持ち手部１５０のプリズム取り付け開口部１５５に取り付けられるようになっている。ここで、プリズム埋設部材１６０に埋設されているターゲットプリズム２００の反射点Ｆは、トータルステーション１が水平角を検出する際に基準とする軸上となるように、各寸法が設計されていることが好ましい。このような設計とされていると、トータルステーション１の測定中心（基準点）からのターゲットプリズム２００の反射点Ｆの水平角方向のオフセットがなくなり高度角方向のオフセット量が把握しやすい。
【００２４】
ここで、プリズム埋設部材１６０をプリズム取り付け開口部１５５に取り付け際の、シムワッシャーの選択や、第１ネジ１８１、第２ネジ１８２の螺合加減は、ターゲットプリズム２００の取り付け位置を調整するための位置調整機能として機能する。
【００２５】
以上のように、本考案のハンドル１００は、ターゲットプリズム２００が内蔵されているので、このような本考案のハンドル１００によれば、ターゲットプリズム２００の位置がトータルステーション１の測定中心（基準点）から変化することなく、オフセットが一定であり、特に推進工法において、先導体の位置を再計算する必要がなくなり、工事の中断時間が短縮されることで、施工コストを抑制することが可能となる。
【００２６】
また、本考案のハンドル１００によれば、オフセットは、高度角方向のオフセットのみとなり、水平角方向についてはオフセットが不要となり、計算が簡略化される。
【００２７】
また、本考案のハンドル１００によれば、トータルステーション１の構成に通常含まれているハンドル１００に、ターゲットプリズム２００が内蔵されるので、ターゲットプリズム２００が含まれた構成でもトータルステーション１の外形寸法が変更することがなく、推進工法における計測に適すると共に、従来のように、トータルステーションに対して突起物状にターゲットプリズムが設けられることにより、破損してしまったり、計測位置がずれてしまったりするといった不具合を防止することができ、信頼性が向上する。
【符号の説明】
【００２８】
１・・・トータルステーション
３・・・整準台
５・・・本体部
７・・・望遠鏡接眼部
１０・・・表示部
１１・・・ハンドル取り付けネジ
１００・・・ハンドル
１０１・・・第１基台部
１０２・・・第２基台部
１１１・・・第１貫通孔
１１２・・・第２貫通孔
１２１・・・第１立設部
１２２・・・第２立設部
１５０・・・持ち手部
１５５・・・プリズム取り付け開口部
１６０・・・プリズム埋設部材
１６５・・・開口部
１７１・・・第１ネジ孔
１７２・・・第２ネジ孔
１８１・・・第１ネジ
１８２・・・第２ネジ
２００・・・ターゲットプリズム
Ｆ・・・反射点
【図１】
0003211118.tif 000003
【図２】
0003211118.tif 000004